(57)【要約】【課題】低域信号及び高域信号相互間の分離特性及び生産性を共に増進させる同軸線路上の低高域周波数分離器を提供する。【解決手段】高域信号を転送する高域端子１０と，低域信号を転送する低域端子２０と，高域信号及び低域信号のミキシング信号を転送するミキシング端子３０を含む同軸線路上の低高域周波数分離器に関し，ミキシング端子及び低域端子の間に設けられ高域信号を遮断すると共に，低域信号のみを通過させるローパスフィルタ４０と，ミキシング端子及び高域端子の間に順次設けられ，低域信号を遮断すると共に，高域信号のみを通過させるハイパスフィルタ５０及び1.7〜2.2GHz帯域の高域信号を通過させるバンドパスフィルタ６０を含むことを特徴とする。良質の信号転送ができると共に、バンドパスフィルタによる低域信号と高域信号の分離特性を確保し、インピーダンス不整合による線路上の特性の低下及び他部品素子に及ぼす影響を最小化できる。【選択図】図１
2008295005.tif 000002
【特許請求の範囲】
【請求項１】
高域信号を転送する高域端子と，低域信号を転送する低域端子と，前記高域信号及び低域信号のミキシング信号を転送するミキシング端子とを含む同軸線路上の低高域周波数分離器であって，
前記ミキシング端子及び前記低域端子の間に設けられ，前記高域信号を遮断すると共に，前記低域信号のみを通過させるローパスフィルタと，
前記ミキシング端子及び前記高域端子の間に，順次設けられ，前記低域信号を遮断すると共に，前記高域信号のみを通過させるハイパスフィルタ，及び１．７〜２．２ＧＨｚ帯域の高域信号を通過させるバンドパスフィルタと，
を含んでなることを特徴とする同軸線路上の低高域周波数分離器。
【請求項２】
前記ローパスフィルタは，ＣＣＴＶの５〜６ＭＨｚ周波数帯域の低域信号，又はＣＡＴＶの５０〜８７０ＭＨｚ周波数帯域の低域信号を通過させることを特徴とする請求項１記載の同軸線路上の低高域周波数分離器。
【請求項３】
前記ハイパスフィルタは，ＰＣＳの１．７ＧＨｚ周波数帯域の高域信号乃至ＷＣＤＭＡの２ＧＨｚ周波数帯域の高域信号を通過させることを特徴とする請求項１又は２記載の同軸線路上の低高域周波数分離器。
【発明の詳細な説明】
【技術分野】
【０００１】
本発明は，同軸線路上の低高域周波数分離器に関し，より詳しくは，ローパスフィルタ及びハイパスフィルタ，そしてバンドパスフィルタという最小化した部品素子にて低域端子，高域端子，及びミキシング端子相互間に良質の低域信号及び高域信号を転送するようにし，特にバンドパスフィルタによる低域信号と高域信号の分離特性を確保するようにして，インピーダンス不整合による線路上の特性の低下，及び他部品素子に及ぼす影響を最小化できる同軸線路上の低高域周波数分離器に関する。
【背景技術】
【０００２】
一般に，ＣＣＴＶは，５〜６ＭＨｚ周波数帯域の低域信号を活用し，ＣＡＴＶは５０〜８７０ＭＨｚ周波数帯域の低域信号を活用し，ＦＳＫモデムは９００ＭＨｚ周波数帯域の高域信号を活用し，移動通信端末機は１７００〜２２００ＭＨｚ周波数帯域の高域信号を活用する。
【０００３】
この際，ＣＣＴＶやＣＡＴＶで活用される周波数帯域の低域信号は，通常的に，７５Ωの同軸ケーブル，即ち，低域線路を通じて転送され，ＦＳＫモデムや移動通信端末機で活用される周波数帯域の高域信号は，送受信機を経由した後，５０Ωの同軸ケーブル，即ち，高域線路を通じて転送されるように設計される。
【０００４】
図２は，一般的な同軸線路上の低高域周波数分離器の使用状態を示す概念図である。
【０００５】
図２に示すように，共同住宅やビルの外部に設置された送受信機３００を通じて転送されるＦＳＫモデム，又は移動通信端末機の高域信号は，高域線路２１０を経由し，ＣＣＴＶやＣＡＴＶ周波数帯域の低域信号は低域線路２２０を経由し，これら高域線路２１０及び低域線路２２０を通じて各々転送された高域信号及び低域信号は，又同軸線路上の低高域周波数分離器１００によりミキシングされた後，低域線路２２０に沿って共同住宅及びビルの内部又は地下などに転送される。
【０００６】
この際，共同住宅やビルには，ＣＣＴＶやＣＡＴＶ周波数帯域の低域信号を転送するための７５Ωの同軸ケーブル，即ち，低域線路２２０が埋め込まれているので，低域信号の転送は大きく問題にならないが，共同住宅及びビルの内部，又は地下などへＦＳＫモデム又は移動通信端末機の高域信号を転送するためには，５０Ωの同軸ケーブル，即ち，高域線路２１０を更に設置せざるをえないが，この場合，設置費用が高まり，追加線路設置による見かけがよくないので，できる限り，建物の内部又はビルの内部に既に設置された低域線路２２０を活用することが望ましい。
【０００７】
これによって，外部の低域線路２２０を経由したＣＣＴＶやＣＡＴＶ周波数帯域の低域信号及び外部の送受信機３００を経由したＦＳＫモデム又は移動通信端末機の高域信号は，外部の同軸線路上の低高域周波数分離器１００を通じてミキシングされた後，共同住宅やビルの内部に既に設置された低域線路２２０を通じて転送された後，また室内の同軸線路上の低高域周波数分離器１００によりハイブリッド分割されて，低域信号はＴＶやモニタなどにディスプレイされ，高域信号は室内送受信機３００を通じて移動通信端末機に伝播できるようにするものである。
【０００８】
図３ａ及び図３ｂは，先行技術（２００６．０３．１４．大韓民国特許出願第１０−２００６−００２３３２３号）によるハイブリッド接続器を示す構造図である。
【０００９】
図３ａ及び図３ｂに示すように，先行技術によるハイブリッド接続器は，高域信号を転送する高域端子１１０と，低域信号を転送する低域端子１２０と，高域信号及び低域信号のミキシング信号を転送するミキシング端子１３０と，高域端子１１０及びミキシング端子１３０の間に設けられた高域ミキシング線路１４０（High Band Mixing Line）と，低域端子１２０及びミキシング端子１３０の間に設けられた低域ミキシング線路１５０（Low Band Mixing Line）と，ミキシング端子１３０との連結線路により従い高域ミキシング線路１４０及び低域ミキシング線路１５０の中，一側に形成されてチェビシェフインピーダンス整合理論（Chebyshev Impedance Matching Theory）により同一化できるように形成したインピーダンス調節部１６１と，このインピーダンス調節部１６１を通じて同一化した２つの信号の損失を最小化してミキシングできるように低域ミキシング線路１５０に具備した一つ以上の高域遮断素子１５１と，高域ミキシング線路１４０に具備した一つ以上の低域遮断素子１４１からなる。
【００１０】
この際，インピーダンス調節部１６１は，高域ミキシング線路１４０に備えられてインピーダンスが増加する場合には，その線路の幅が徐々に狭くなるように形成される一方，低域ミキシング線路１５０に備えられてインピーダンスが減少する場合には，その線路の幅が徐々に広くなるように形成される。
【００１１】
そして，高域ミキシング線路１４０及び低域ミキシング線路１５０に印加されて転送できなかった非同一帯域の信号によるノイズ（Noise）を防止できるように高域ミキシング線路１４０には低域接地素子１４２が備えられ，低域ミキシング線路１５０には高域接地素子１５２が備えられる。
【発明の開示】
【発明が解決しようとする課題】
【００１２】
ところが，前述した先行技術によるハイブリッド接続器は，高域ミキシング線路１４０，低域ミキシング線路１５０，インピーダンス調節部１６１，高域遮断素子１５１，低域遮断素子１４１，低域接地素子１４２，及び高域接地素子１５２のように，多数の部品点数からなり，製品の生産性が格段に落ちるという短所を有している。
【００１３】
本発明は，上記課題を解決するために開発されたものであって，ローパスフィルタ，ハイパスフィルタ，及びバンドパスフィルタの最小化した部品素子にて低域端子，高域端子及びミキシング端子相互間の良質の低域信号及び高域信号を転送できるようにしながら，低域信号及び高域信号の相互間の分離特性及び生産性を共に増進させることができる同軸線路上の低高域周波数分離器を提供することをその目的とする。
【課題を解決するための手段】
【００１４】
上記の目的を達成するため，本発明は，高域信号（高帯域信号；High Band Signal）を転送する高域端子１０（高帯域端子；High Band Terminal）と，低域信号（低帯域信号；Low Band Signal）を転送する低域端子２０（低帯域端子；Low Band Terminal）と，高域信号及び低域信号のミキシング信号（Mixing Signal）を転送するミキシング端子３０（Mixing Terminal）を含む同軸線路（Coaxial Cable）上の低高域周波数分離器（Low and High Band Frequency Diplexer）に関し，ミキシング端子３０及び低域端子２０の間に設けられ高域信号を遮断すると共に，低域信号のみを通過させるローパスフィルタ４０（Low Pass Filter）と，ミキシング端子３０及び高域端子１０の間に順次，設けられ低域信号を遮断すると共に，高域信号のみを通過させるハイパスフィルタ５０（High Pass Filter）及び１．７〜２．２ＧＨｚ帯域の高域信号を通過させるバンドパスフィルタ６０（Band Pass Filter）を含むことをその技術的構成上の基本的な特徴とする（請求項１）。
【００１５】
前記ローパスフィルタ４０は，ＣＣＴＶの５〜６ＭＨｚ周波数帯域の低域信号，又はＣＡＴＶの５０〜８７０ＭＨｚ周波数帯域の低域信号を通過させる構成とすることができる（請求項２）。
【００１６】
さらに，前記ハイパスフィルタ５０は，ＰＣＳの１．７ＧＨｚ周波数帯域の高域信号乃至ＷＣＤＭＡの２ＧＨｚ周波数帯域の高域信号を通過させる構成とすることができる（請求項３）。
【発明の効果】
【００１７】
本発明による同軸線路上の低高域周波数分離器は，ローパスフィルタ４０，ハイパスフィルタ５０，及びバンドパスフィルタ６０の最小化した部品素子にて低域端子２０，高域端子１０，及びミキシング端子３０相互間の良質の低域信号及び高域信号の転送を可能にすると共に，バンドパスフィルタ６０による低域信号と高域信号の分離（Isolation）特性を確保して，インピーダンス不整合（Impedance Miss Matching）による線路上の特性の低下及び他部品素子に及ぼす影響を最小化させることができ，これにより，先行技術のインピーダンス整合回路を必要としないので，部品の極小化をも達成できる優れた効果を有する。
【発明を実施するための最良の形態】
【００１８】
以下，本発明による同軸線路上の低高域周波数分離器の望ましい実施形態を図面を参照しつつ説明することにし，その実施形態には多数個が存在することができ，このような実施形態を通じて本発明の目的，特徴及び利点をよりよく理解できることになる。
【００１９】
図１は，本発明による同軸線路上の低高域周波数分離器を示す構造図である。
【００２０】
本発明は，低域信号と高域信号を同軸線路上の低高域周波数分離器を通じて自由に転送できるように設計されたものであって，図１に示すように，高域信号を転送する高域端子１０と，低域信号を転送する低域端子２０，そして高域信号及び低域信号のミキシング信号を転送するミキシング端子３０を基本的に含む。
【００２１】
この際，高域端子１０には５０Ωの同軸ケーブル，即ち高域線路が接続され，低域端子２０には７５Ωの同軸ケーブル，即ち低域線路が接続される。
【００２２】
より具体的には，本発明による同軸線路上の低高域周波数分離器は，ミキシング端子３０及び低域端子２０の間に設けられて高域信号を遮断すると共に，低域信号のみを通過させるローパスフィルタ４０を具備し，ミキシング端子３０及び高域端子１０の間に設けられて低域信号を遮断すると共に，高域信号のみを通過させるハイパスフィルタ５０を含み，このハイパスフィルタ５０及び高域端子１０の間に１．７〜２．２ＧＨｚ帯域の高域信号を通過させるバンドパスフィルタ６０を有する。
【００２３】
ミキシング端子３０と低域端子２０との間にローパスフィルタ４０を設けて，これと共にミキシング端子３０と高域端子１０との間に低域信号を遮断すると共に，高域信号のみを通過させるハイパスフィルタ５０，及び１．７〜２．２ＧＨｚ帯域の高域信号を通過させるバンドパスフィルタ６０を順次設け，相互間の最小化した部品素子で低域信号及び高域信号のみを転送できるので，製品の生産性を格段に向上させることができるのみならず，バンドパスフィルタ６０による低域信号と高域信号の分離（Isolation）特性を確保するようにして，インピーダンス不整合による線路上の特性の低下及び他部品素子に及ぼす影響を最小化できることになり，これによって，先行技術のインピーダンス整合回路を必要としないので，部品の極小化を達成できることになる。
【００２４】
そして，本発明による同軸線路上の低高域周波数分離器に適用されたローパスフィルタ４０は，ＣＣＴＶの５〜６ＭＨｚ周波数帯域の低域信号，又はＣＡＴＶの５０〜８７０ＭＨｚ周波数帯域の低域信号を通過させることができるようにし，併せて，ハイパスフィルタ５０はＰＣＳの１．７ＧＨｚ周波数帯域の高域信号，又はＷＣＤＭＡの２ＧＨｚ周波数帯域の高域信号を通過させることができるようにすることが望ましい。
【００２５】
このような構成により，１．７ＧＨｚ周波数帯域のＰＣＳ高域信号，又は２ＧＨｚ
周波数帯域のＷＣＤＭＡ高域信号をハイパスフィルタ５０及びバンドパスフィルタ６０を通じてミキシング端子３０及び高域端子１０の相互間の転送を可能にすることができ，５〜６ＭＨｚ周波数帯域のＣＣＴＶ低域信号，又は５０〜８７０ＭＨｚ周波数帯域ＣＡＴＶの低域信号をローパスフィルタ４０を通じてミキシング端子３０及び低域端子２０の相互間の転送を可能にするようになって，共同住宅又はビルの内部及び地下などに良質の低域信号及び高域信号を提供できることになる。
【図面の簡単な説明】
【００２６】
【図１】本発明による同軸線路上の低高域周波数分離器を示す構造図。
【図２】一般的な同軸線路上の低高域周波数分離器の使用状態を示す概念図。
【図３ａ】先行技術によるハイブリッド接続器を示す構造図。
【図３ｂ】先行技術によるハイブリッド接続器を示す構造図。
【符号の説明】
【００２７】
１０    高域端子（高帯域端子）
２０    低域端子（低帯域端子）
３０    ミキシング端子
４０    ローパスフィルタ
５０    ハイパスフィルタ
６０    ハンドパスフィルタ
【図１】
2008295005.tif 000003
【図２】
2008295005.tif 000004
【図３ａ】
2008295005.tif 000005
【図３ｂ】
2008295005.tif 000006